【手続補正書】
【提出日】平成28年6月15日(2016.6.15)
【手続補正１】
【補正対象書類名】特許請求の範囲
【補正対象項目名】全文
【補正方法】変更
【補正の内容】
【特許請求の範囲】
【請求項１】
入力された入力データを保持手段にＤＭＡ転送する第１の転送手段と、
前記保持手段に保持された入力データを少なくとも１つのユニットにＤＭＡ転送する第２の転送手段と、
前記第１の転送手段により入力データがＤＭＡ転送されたことに応じて前記保持手段に保持された入力データが更新されたことを通知する通知手段と、
前記第２の転送手段が、前記通知手段からの通知に応答して前記保持手段から入力データを少なくとも１つのユニットに転送する第１モード、および、当該通知に依らずに前記保持手段から入力データを少なくとも１つのユニットに転送する第２モードのいずれか一方によって動作するように制御する転送制御手段と、を有し、
前記転送制御手段は、前記第２モードへの切り替えを前記第１モードで動作した後に行う
ことを特徴とするデータ転送装置。
【請求項２】
前記転送制御手段が第１モードで動作するように制御した場合、前記第２の転送手段は、一のユニットに前記入力データを転送し、
前記転送制御手段が前記第１モードで動作するように制御した後に、前記第２モードで動作するように制御した場合、前記第２の転送手段は、他のユニットに前記入力データを転送することを特徴とする請求項１に記載のデータ転送装置。
【請求項３】
前記入力された入力データは処理モジュールにより処理が為された入力データであり、
前記第２の転送手段が前記保持手段に保持された入力データをＤＭＡ転送する少なくとも１つのユニットは前記処理モジュールによる処理とは異なる処理を行う他の処理モジュールである
ことを特徴とする請求項１又は２に記載のデータ転送装置。
【請求項４】
前記第２の転送手段により前記少なくとも１つのユニットへのＤＭＡ転送が開始されたことを通知する第２の通知手段をさらに有し、
前記第１の転送手段は、前記第２の通知手段からの通知に応答して次の入力データを前記保持手段にＤＭＡ転送する
ことを特徴とする請求項１乃至３のいずれか１項に記載のデータ転送装置。
【請求項５】
前記転送制御手段が第２モードで動作するように制御した場合、前記第２の通知手段は通知を行わないことを特徴とする請求項４に記載のデータ転送装置。
【請求項６】
前記転送制御手段が第１モードで動作するように制御した場合、前記第２の転送手段は、前記通知手段からの通知に応答して前記保持手段から一のユニットに第１の入力データを転送し、前記通知手段からの通知に応答して前記保持手段から他のユニットに第２の入力データを転送することを特徴とする請求項１乃至５のいずれか１項に記載のデータ転送装置。
【請求項７】
前記転送制御手段は、前記入力データを所定単位毎にデータの転送を行うように制御することを特徴とする請求項１乃至６のいずれか１項に記載のデータ転送装置。
【請求項８】
前記第２の転送手段による第１の入力データのＤＭＡ転送と、前記第１の転送手段による第２の入力データのＤＭＡ転送と、を並列に行うことを特徴とする請求項１乃至７のいずれか１項に記載のデータ転送装置。
【請求項９】
前記入力された入力データを保持手段にＤＭＡ転送する第３の転送手段と、
前記第３の転送手段により入力データがＤＭＡ転送されたことに応じて前記保持手段に保持された入力データが更新されたことを通知する第３の通知手段と、
前記転送制御手段が第１モードで動作するように制御した場合、前記第２の転送手段は、前記通知手段からの通知に応じて、前記保持手段から前記第１の転送手段によりＤＭＡ転送された入力データを少なくとも１つのユニットに転送し、前記第３の通知手段からの通知に応じて、前記保持手段から前記第３の転送手段によりＤＭＡ転送された入力データを少なくとも１つのユニットに転送することを特徴とする請求項１乃至８のいずれか１項に記載のデータ転送装置。
【請求項１０】
前記転送制御手段は、フラグの設定に基づいて、前記第１モード及び前記第２モードの切り替えを行うことを特徴とする請求項１乃至９のいずれか１項に記載のデータ転送装置。
【請求項１１】
前記入力データを保持する保持手段をさらに備える、
ことを特徴とする請求項１乃至１０のいずれか１項に記載のデータ転送装置。
【請求項１２】
前記入力データは画像データを含む、
ことを特徴とする請求項１乃至１１のいずれか１項に記載のデータ転送装置。
【請求項１３】
前記第２の転送手段は、前記保持手段に保持された入力データを２以上のユニットにＤＭＡ転送することができ、
各ユニットに複数の入力データを含む入力データ群をそれぞれ転送する際に異なるユニットに転送する入力データ群が互いに共通の入力データを有する場合は、前記転送制御手段は当該共通の入力データについてのデータ転送を行うときには前記第２の転送手段が前記第２モードで動作するように制御する、
ことを特徴とする請求項１乃至１２のいずれか１項に記載のデータ転送装置。
【請求項１４】
請求項１３に記載のデータ転送装置と、
第Ｎ（Ｎは１以上の自然数）のユニットに対応して設けられた第Ｎの記録ヘッドと、
第Ｎ＋１のユニットに対応して設けられた第Ｎ＋１の記録ヘッドと、を備え、
前記第Ｎの記録ヘッドは前記Ｎのユニットにおける前記複数の種類のデータに対応する複数の記録素子列を有しており、前記第Ｎ＋１の記録ヘッドは前記第Ｎ＋１のユニットにおける前記複数の種類のデータに対応する複数の記録素子列を有している、
ことを特徴とする記録装置。
【請求項１５】
少なくとも１つのユニットに、入力された入力データをＤＭＡ転送するデータ転送方法であって、
前記入力された入力データを保持手段にＤＭＡ転送する第１の転送工程と、
前記保持手段に保持された入力データを前記少なくとも１つのユニットにＤＭＡ転送する第２の転送工程と、
前記第１の転送工程により入力データがＤＭＡ転送されたことに応じて前記保持手段に保持された入力データが更新されたことを通知する通知工程と、を含み、
前記第２の転送工程は、前記通知工程からの通知に応答して前記保持手段から入力データを前記少なくとも１つのユニットに転送する第１モード、および、当該通知に依らずに前記保持手段から入力データを前記少なくとも１つのユニットに転送する第２モードのいずれか一方の動作モードで実行され、前記第２モードへの切り替えは前記第１モードで動作した後に行う
ことを特徴とするデータ転送方法。
【手続補正２】
【補正対象書類名】明細書
【補正対象項目名】０００７
【補正方法】変更
【補正の内容】
【０００７】
本発明の一つの側面はデータ転送装置にかかり、入力された入力データを保持手段にＤＭＡ転送する第１の転送手段と、前記保持手段に保持された入力データを少なくとも１つのユニットにＤＭＡ転送する第２の転送手段と、前記第１の転送手段により入力データがＤＭＡ転送されたことに応じて前記保持手段に保持された入力データが更新されたことを通知する通知手段と、前記第２の転送手段が、前記通知手段からの通知に応答して前記保持手段から入力データを少なくとも１つのユニットに転送する第１モード、および、当該通知に依らずに前記保持手段から入力データを少なくとも１つのユニットに転送する第２モードのいずれか一方によって動作するように制御する転送制御手段と、を有し、前記転送制御手段は、前記第２モードへの切り替えを前記第１モードで動作した後に行うことを特徴とする。